(57)【要約】【課題】汎用性があるとともにケーブルを引き抜くことなく装着することができるロック機能付コネクタカバーを提供する。【解決手段】ＬＡＮケーブル２が接続されたＲＪ４５型コネクタ１のレバー操作することができなくなるようにするためのロック機能付コネクタカバーであって、差込口３ａを備えたハブ３にＲＪ４５型コネクタ１を差し込んでＬＡＮケーブル２をハブ３に接続したときにＲＪ４５型コネクタ１の差込口３ａから露出している露出部分全体をカバーするためのコネクタカバー部材１０と、ＬＡＮケーブル２のＲＪ４５型コネクタ１との接続部分に固定されるとともにコネクタカバー部材１０を取り外すことができないようにするためのロック部材２０とを具備する。【選択図】図３
2012221817.tif 000002
【特許請求の範囲】
【請求項１】
ケーブル（２）が接続されたかつロック機構を備えたコネクタ（１）の該ロック機構を操作することができなくなるようにするためのロック機能付コネクタカバーであって、
前記コネクタの差込口（３ａ）を備えた機器（３）に該コネクタを差し込んで前記ケーブルを該機器に接続したときに該コネクタの前記差込口から露出している露出部分全体をカバーするためのコネクタカバー手段（１０；３０，４０）と、
前記ケーブルの前記コネクタとの接続部分に固定される、かつ、前記コネクタカバー手段を取り外すことができないようにするためのロック手段（２０；３０，４０）と、
を具備することを特徴とする、ロック機能付コネクタカバー。
【請求項２】
前記コネクタカバー手段が、
両側面の内面に係合穴（１１ａ）が形成された第１のカバー部（１１）と、
両側面の外面に前記係合穴と係合する係合爪（１２ａ）が形成された第２のカバー部（１２）とを備え、
前記係合爪を前記係合穴と係合させて前記第１のカバー部と前記第２のカバー部とを結合すると、該第１のカバー部と該第２のカバー部とで囲まれたかつ前記コネクタの前記露出部分全体を収納するためのコネクタ収納空間が形成され、
前記ロック手段が、
両側面の内面に他の係合穴（２１ａ）が形成された第１のロック部（２１）と、
両側面の外面に前記他の係合穴と係合する他の係合爪（２２ａ）が形成された第２のロック部（２２）と、
前記第１のロック部に取り付けられたケーブル押え部（２３）とを備え、
前記他の係合爪を前記他の係合穴と係合させて前記第１のロック部と前記第２のロック部とを結合すると、該第１のロック部と該第２のロック部とで囲まれたかつ前記ケーブルの前記接続部分を収納するためのケーブル収納空間が形成され、
該ケーブル収納空間に収納された前記ケーブルの前記接続部分の一部を前記第２のロック部と前記ケーブル押え部とで挟持させる、
ことを特徴とする、請求項１記載のロック機能付コネクタカバー。
【請求項３】
前記コネクタカバー手段と前記ロック手段とが上側部材（３０）と下側部材（４０）とを用いて一体化されており、
前記上側部材が、
両側面の内面に別の係合穴（３１ａ）が形成された上側本体（３１）と、
該上側本体に取り付けられたケーブル押え部（３２）とを備え、
前記下側部材が、両側面の外面に前記別の係合穴と係合する別の係合爪（４１ａ）が形成された下側本体（４１）を備える、
ことを特徴とする、請求項１記載のロック機能付コネクタカバー。
【請求項４】
前記機器が前記コネクタを複数個一列に並べて取り付ける機器である場合には、
前記コネクタカバー手段が、前記複数個のコネクタを収納することができる寸法にされており、
前記複数個のコネクタと同数の前記ロック手段を備え、
前記ロック手段が、前記複数個のコネクタにそれぞれ接続された複数本のケーブルに１個ずつ固定される、
ことを特徴とする、請求項１乃至３いずれかに記載のロック機能付コネクタカバー。
【請求項５】
前記ケーブル押え部が、
特殊頭部形状の頭部付きネジと、
該頭部付きネジの末端に回転自在に取り付けられた押え板と、
を備えることを特徴とする、請求項２乃至４いずれかに記載のロック機能付コネクタカバー。
【発明の詳細な説明】
【技術分野】
【０００１】
本発明は、ＲＪ４５型コネクタなどのロック機構を備えたコネクタに使用するのに好適なロック機能付コネクタカバーに関する。
【背景技術】
【０００２】
従来、コンピュータとネットワーク機器との相互間のＬＡＮケーブルによる接続はＲＪ４５型コネクタ（ロック機構としてレバーを備える。）による方法が一般的であるが、ＲＪ４５型コネクタはレバー操作により容易に着脱が可能である。
【０００３】
そのため、複数のコンピュータを集線するハブなどは一般ユーザーが執務するフロアに設置されるのが通常であるが、ＲＪ４５型コネクタが容易に着脱できることから、悪意のあるユーザーがパケットキャプチャをする、管理外のコンピュータを接続することでウィルスなどが拡散するなど、情報セキュリティ上の脅威になっている。また、不用意なケーブル接続でＬＡＮ上にループが構成されて、システム障害に発展する可能性もある。
同様な問題は、コンピュータ側のＲＪ４５型コネクタでも存在する。
【０００４】
このような問題の解決手法として、以下に示すものがある。
下記の特許文献１には、ハブなどにあるＲＪ４５型コンセント内部に施錠用ロックピンを配し、ＲＪ４５型コネクタに施錠用台座を設けることにより、ＲＪ４５型コネクタを挿入して鍵で施錠をするようにした施錠機能付加ＲＪ４５型コネクタが開示されている。
【０００５】
下記の特許文献２には、ＬＡＮケーブルの先端に一体的に取り付けられ、抜取り可能にコンピュータの差込口に挿入されて、その挿入状態をラッチされるＬＡＮケーブル用コネクタに着脱自在に取り付けられ、取り付けた状態ではＬＡＮケーブル用コネクタの差込口への挿入状態をロックし、取り外された状態ではＬＡＮケーブル用コネクタを差込口から抜取り可能にしたロック用組体が開示されている。
【０００６】
また、専用工具のラインと本体のラインとを合わせた状態で工具を本体に挿入し、工具を時計回りに９０°回転させた状態でプラグをジャックに挿入したのち、工具を反時計回りに９０°度回転させて工具を抜くようにしたパッチコードロックがパンドウィット社から市販されている。
【先行技術文献】
【特許文献】
【０００７】
【特許文献１】特開２００１−１１８６３７号公報
【特許文献２】国際公開２００５／００４２９３号公報
【発明の概要】
【発明が解決しようとする課題】
【０００８】
しかしながら、上記の特許文献１に開示された施錠機能付加ＲＪ４５型コネクタは、ハブなどの内部にロック機構を設ける必要があるため、汎用品のハブなどには使用することが難しい。
上記の特許文献２に開示されたロック用組体は、コンピュータの盗難防止効果を図る目的で作られたものであり、外部にロック用の装置を設ける必要があるため、外形が大きくなりがちで、ハブなどのポートが密集している場合には使用が難しい。また、ハブなどの複数のＬＡＮケーブルのロック機構も提案されているが、現実的には機種ごとにポート数および寸法が違うため、汎用性に難点がある。
【０００９】
パンドウィット社のパッチコードロックは、ハブなどに挿入する前のコネクタにロックカバーを装着する形態であるため、運用中のケーブル・ポートに適用するにはＬＡＮケーブルを一旦ハブなどから引き抜く作業が必要になる。また、スイッチのアップリンクポートなど停止が難しいところもあり、適用が困難な場合もある。
【００１０】
本発明の目的は、汎用性があるとともにケーブルを引き抜くことなく装着することができるロック機能付コネクタカバーを提供することにある。
【課題を解決するための手段】
【００１１】
本発明のロック機能付コネクタカバーは、ケーブル（２）が接続されたかつロック機構を備えたコネクタ（１）の該ロック機構を操作することができなくなるようにするためのロック機能付コネクタカバーであって、前記コネクタの差込口（３ａ）を備えた機器（３）に該コネクタを差し込んで前記ケーブルを該機器に接続したときに該コネクタの前記差込口から露出している露出部分全体をカバーするためのコネクタカバー手段（１０；３０，４０）と、前記ケーブルの前記コネクタとの接続部分に固定される、かつ、前記コネクタカバー手段を取り外すことができないようにするためのロック手段（２０；３０，４０）とを具備することを特徴とする。
ここで、前記コネクタカバー手段が、両側面の内面に係合穴（１１ａ）が形成された第１のカバー部（１１）と、両側面の外面に前記係合穴と係合する係合爪（１２ａ）が形成された第２のカバー部（１２）とを備え、前記係合爪を前記係合穴と係合させて前記第１のカバー部と前記第２のカバー部とを結合すると、該第１のカバー部と該第２のカバー部とで囲まれたかつ前記コネクタの前記露出部分全体を収納するためのコネクタ収納空間が形成され、前記ロック手段が、両側面の内面に他の係合穴（２１ａ）が形成された第１のロック部（２１）と、両側面の外面に前記他の係合穴と係合する他の係合爪（２２ａ）が形成された第２のロック部（２２）と、前記第１のロック部に取り付けられたケーブル押え部（２３）とを備え、前記他の係合爪を前記他の係合穴と係合させて前記第１のロック部と前記第２のロック部とを結合すると、該第１のロック部と該第２のロック部とで囲まれたかつ前記ケーブルの前記接続部分を収納するためのケーブル収納空間が形成され、該ケーブル収納空間に収納された前記ケーブルの前記接続部分の一部を前記第２のロック部と前記ケーブル押え部とで挟持させてもよい。
前記コネクタカバー手段と前記ロック手段とが上側部材（３０）と下側部材（４０）とを用いて一体化されており、前記上側部材が、両側面の内面に別の係合穴（３１ａ）が形成された上側本体（３１）と、該上側本体に取り付けられたケーブル押え部（３２）とを備え、前記下側部材が、両側面の外面に前記別の係合穴と係合する別の係合爪（４１ａ）が形成された下側本体（４１）を備えてもよい。
前記機器が前記コネクタを複数個一列に並べて取り付ける機器である場合には、前記コネクタカバー手段が、前記複数個のコネクタを収納することができる寸法にされており、前記複数個のコネクタと同数の前記ロック手段を備え、前記ロック手段が、前記複数個のコネクタにそれぞれ接続された複数本のケーブルに１個ずつ固定されてもよい。
前記ケーブル押え部が、特殊頭部形状の頭部付きネジと、該頭部付きネジの末端に回転自在に取り付けられた押え板とを備えてもよい。
【発明の効果】
【００１２】
本発明のロック機能付コネクタカバーは、以下に示す効果を奏する。
（１）コネクタの差込口から露出している露出部分全体をコネクタカバー手段でカバーするとともにケーブルのコネクタとの接続部分にロック手段を固定することにより、コネクタカバー手段を取り外せないようにすることができるため、汎用性を持たせることができるとともにケーブルを引き抜くことなく装着することができる。
（２）コンピュータやハブなどにおいてＬＡＮケーブルを引き抜いて、空いたポートにコンピュータを接続してパケットキャプチャなどをすることを防止したり、空きポートにユーザーが管理外のコンピュータを接続することによるウィルス拡散などを防止したりすることができる。
（３）ハブなどにおいてＬＡＮケーブルを引き抜き、ＬＡＮコードをＬＡＮ間で接続してループが発生するなどのシステム障害を防止することができる。
（４）ユーザーがＬＡＮケーブルを抜くことができず、ＬＡＮ信号は監視が可能なため、これを利用して盗難通知に利用することができる（副次効果）。
（５）ＲＪ４５型コネクタに限らず、コネクタ本体にロック機構があるものは、本発明のロック機能付コネクタカバーを用いたケーブル固定による方法を適用することができる（副次効果）。
【図面の簡単な説明】
【００１３】
【図１】本発明の一実施例によるロック機能付コネクタカバーが具備するコネクタカバー部材１０およびロック部材２０の構成を示す図であり、（ａ）はコネクタカバー部材１０の上側カバー部１１と下側カバー部１２とを分離した状態を示す横断面図、（ｂ）はコネクタカバー部材１０の上側カバー部１１と下側カバー部１２とを結合した状態を示す横断面図、（ｃ）はロック部材２０の上側ロック部２１と下側ロック部２２とを分離した状態を上側ロック部２１および下側ロック部２２を横断面図として示した図、（ｄ）はロック部材２０の上側ロック部２１と下側ロック部２２とを結合した状態を上側ロック部２１および下側ロック部２２を横断面図として示した図である。
【図２】図１に示したロック機能付コネクタカバーの使用方法について説明するための図である。
【図３】図１に示したロック機能付コネクタカバーの使用方法について説明するための図である。
【図４】図１に示したコネクタカバー部材１０およびロック部材２０を一体化した態様のロック機能付コネクタカバーの構成を示す図であり、（ａ）は上側部材３０の構成を示す側面図、（ｂ）は下側部材４０の構成を示す側面図である。
【発明を実施するための形態】
【００１４】
上記の目的を、コネクタの差込口から露出している露出部分全体をコネクタカバー手段でカバーするとともにケーブルのコネクタとの接続部分にロック手段を固定してコネクタカバー手段を取り外せないようにすることにより実現した。
【実施例１】
【００１５】
以下、本発明のロック機能付コネクタカバーの実施例について、図面を参照して説明する。
本発明の一実施例によるロック機能付コネクタカバーは、図１（ａ），（ｂ）に示すコネクタカバー部材１０と、図１（ｃ），（ｄ）に示すロック部材２０とを具備する。
【００１６】
ここで、コネクタカバー部材１０が、ハブ３の差込口３ａに差し込まれたＲＪ４５型コネクタ１（図２（ａ）参照）のハブ３から露出している部分（以下、「露出部分」と称する。）全体をカバーしてＲＪ４５型コネクタ１のレバー操作ができないようにするためのものであり、図１（ａ）に示すように上側カバー部１１と下側カバー部１２との上下２分割構造とされている。
【００１７】
上側カバー部１１は、先端側から見たときの形状がコの字形状しており、両側面の下部の内面には係合穴１１ａが形成されている。
下側カバー部１２は、先端側から見たときの形状がコの字形状しており、両側面の上部の外面には、上側カバー部１１の係合穴１１ａと係合する係合爪１２ａが形成されている。
これにより、図１（ｂ）に示すように下側カバー部１２の係合爪１２ａを上側カバー部１１の係合穴１１ａと係合させて上側カバー部１１と下側カバー部１２とを結合すると、コネクタカバー部材１０の先端側から見ると上側カバー部１１および下側カバー部１２に囲まれた矩形状のコネクタ収納空間が形成されて、同図に破線で示すＲＪ４５型コネクタ１の露出部分全体をこのコネクタ収納空間に収納することができるようにされている。
【００１８】
ロック部材２０は、ＬＡＮケーブル２のＲＪ４５型コネクタ１との接続部分（以下、「接続部分」と称する。）に取り付けてコネクタカバー部材１０を取り外すことができないようにするためのものであり、図１（ｃ）に示すように上側ロック部２１と下側ロック部２２との上下２分割構造とされているとともに、ケーブル押え部２３を備える。
【００１９】
上側ロック部２１は、先端側から見たときの形状がコの字形状しており、両側面の下部の内面には係合穴２１ａが形成されている。
下側ロック部２２は、先端側から見たときの形状がコの字形状しており、両側面の上部の外面には、上側ロック部２１の係合穴２１ａと係合する係合爪２２ａが形成されている。
これにより、図１（ｄ）に示すように下側ロック部２２の係合爪２２ａを上側ロック部２１の係合穴２１ａと係合させて上側ロック部２１と下側ロック部２２とを結合すると、ロック部材２０の先端側から見ると上側ロック部２１および下側ロック部２２に囲まれた矩形状のケーブル収納空間が形成されて、同図に破線で示すＬＡＮケーブル２の接続部分をこのケーブル収納空間に収納することができるようにされている。
【００２０】
ケーブル押え部２３は、ロック部材２０のケーブル収納空間に収納されたＬＡＮケーブル２の接続部分の一部を下側ロック部２２の底部内面と共に挟んで固定するためのものであり、上側ロック部２１の上面の中央部を貫通する頭部付きネジと、頭部付きネジの末端に回転自在に取り付けられた押え板とを備える。
上側ロック部２１の上面の中央部には、ケーブル押え部２３の頭部付きネジと螺合するネジ溝が形成されている。
これにより、図１（ｄ）に矢印で示すようにケーブル押え部２３の頭部付きネジを時計方向に回してケーブル押え部２３の押え板を下げると、ロック部材２０のケーブル収納空間に収納されたＬＡＮケーブル２の接続部分の一部がケーブル押え部２３の押え板と下側ロック部２２の底部内面とで挟持されて、ロック部材２０をＬＡＮケーブル２に固定することができる。
【００２１】
なお、ケーブル押え部２３の押え板の形状は、好ましくは、ＬＡＮケーブル２の形状に合わせたものにする。
たとえば、図１（ｄ）に破線で示すＬＡＮケーブル２のように丸型形状のＬＡＮケーブルについては横断面形状（ロック部材２０の先端側から見たときの形状）が円弧板状の押え板とし、平型形状のＬＡＮケーブルについては平板状の押え板とすればよい。
【００２２】
また、ケーブル押え部２３の頭部付きネジを特殊頭部形状のネジ（たとえば、極めて特殊な立体形状の窪みが頭部に形成されたネジ）として、専用工具以外の工具では頭部付きネジを回すことができないようにして、管理者のみがロック部材２０のＬＡＮケーブル２への着脱ができるようにしてもよい。
【００２３】
次に、このように構成された本実施例によるロック機能付コネクタカバーの使用方法について、図２および図３を参照して説明する。
管理者は、図２（ａ）に矢印で示すように、ハブ３の差込口３ａに差し込まれたＲＪ４５型コネクタ１の上方からコネクタカバー部材１０の上側カバー部１１を下方にスライドさせて、上側カバー部１１でＲＪ４５型コネクタ１の露出部分の上側をカバーする。
このとき、管理者は、好ましくは、上側カバー部１１の先端面がハブ３の前面（差込口３ａが形成されている面）に接するようにしながら上側カバー部１１をスライドさせる。
【００２４】
続いて、管理者は、図２（ｂ）に矢印で示すように、コネクタカバー部材１０の下側カバー部１２の係合爪１２ａが上側カバー部１１の係合穴１１ａに係合するまでＲＪ４５型コネクタ１の下方から下側カバー部１２を上方にスライドさせる。
このとき、管理者は、好ましくは、下側カバー部１２の先端面がハブ３の前面に接するようにしながら下側カバー部１２をスライドさせる。
【００２５】
これにより、ＲＪ４５型コネクタ１の露出部分の下側が下側カバー部１２でカバーされるため、図２（ｃ）に示すようにＲＪ４５型コネクタ１の露出部分全体が上側カバー部１１および下側カバー部１２で囲まれたコネクタ収容空間に収容されてコネクタカバー部材１０でカバーされるので、ＲＪ４５型コネクタ１のレバー操作を行うことができないようにすることができる。
【００２６】
続いて、管理者は、図３（ａ）に矢印で示すように、ＬＡＮケーブル２の上方からロック部材２０の上側ロック部２１を下方へスライドさせて、上側ロック部２１でＬＡＮケーブル２の接触部分の上側をカバーする。
このとき、管理者は、好ましくは、上側ロック部２１の先端面がコネクタカバー部材１０の上側カバー部１１の末端面に接するようにしながら上側ロック部２１をスライドさせる。
【００２７】
続いて、管理者は、図３（ｂ）に矢印で示すように、ロック部材２０の下側ロック部２２の係合爪２２ａが上側ロック部２１の係合穴２１ａに係合するまでＬＡＮケーブル２の下方から下側ロック部２２を上方へスライドさせる。
このとき、管理者は、好ましくは、下側ロック部２２の先端面がコネクタカバー部材１０の下側カバー部１２の末端面に接するようにしながら下側ロック部２２をスライドさせる。
【００２８】
これにより、ＬＡＮケーブル２の接触部分の下側が下側ロック部２２でカバーされるため、図３（ｃ）に示すようにＬＡＮケーブル２の接触部分が上側ロック部２１および下側ロック部２２で囲まれたケーブル収納空間に収納されてロック部材２０でカバーされる。
【００２９】
続いて、管理者は、ロック部材２０をコネクタカバー部材１０に向けて押すことによりコネクタカバー部材１０をハブ３の前面に向けて押し付けたのち、図３（ｄ）に矢印で示すようにケーブル押え部２３の頭付きネジを工具で時計方向に回して、ロック部材２０のケーブル収納空間に収納されたＬＡＮケーブル２の接続部分の一部をケーブル押え部２３の押え板と下側ロック部２２の底部内面とで挟持する。
【００３０】
これにより、ロック部材２０がＬＡＮケーブル２に固定されるとともに、コネクタカバー部材１０がロック部材２０とハブ３の前面とで挟持されて固定されるため、コネクタカバー部材１０を取り外せないようにすることができる。
【００３１】
なお、ＲＪ４５型コネクタ１をハブ３の差込口３ａから抜く際には、管理者は、ケーブル押え部２３の頭付きネジを工具で反時計方向に回してケーブル押え部２３の押え板をＬＡＮケーブル２から離す。その後、管理者は、ロック部材２０をＬＡＮケーブル２に沿ってスライドさせてコネクタカバー部材１０から離したのち、コネクタカバー部材１０をＬＡＮケーブル２に沿ってスライドさせてハブ３から離す。
これにより、コネクタカバー部材１０のコネクタ収納空間に収納されていたＲＪ４５型コネクタ１の露出部分全体が露出されるため、管理者は、ＲＪ４５型コネクタ１のレバーを押し下げてＲＪ４５型コネクタ１をハブ３の差込口３ａから抜くことができる。
【００３２】
このようにコネクタカバー部材１０およびロック部材２０を取付け後にも遊動可能状態にすることができるため、コネクタカバー部材１０の上側カバー部１１および下側カバー部１２とロック部材２０の上側ロック部２１および下側ロック部２２とは一度結合すると分解不可能な構造としてもよい。
この場合には、たとえば、コネクタカバー部材１０については、係合穴１１ａの先端部に下向き係合穴を形成するとともに係合爪１２ａの先端部に係合穴１１ａの下向き係合穴と係合する下向き係合爪を形成して、上側カバー部１１と下側カバー部１２とを結合したのちに上側カバー部１１の両側面をコネクタ収納空間に向けて強く押すと係合爪１２ａの下向き係合爪が係合穴１１ａの下向き係合穴と係合するようにすればよい。
ロック部材２０についても同様である。
【００３３】
以上の説明では、コネクタカバー部材１０およびロック部材２０を上下２分割構造としたが、左右２分割構造としてもよい。
この場合には、コネクタカバー部材１０の上側カバー部１１および下側カバー部１２を９０°回転させたものを左側カバー部および右側カバー部とし、ロック部材２０の上側ロック部２１および下側ロック部２２を９０°回転させたものを左側ロック部および右側ロック部とすればよい。
【００３４】
また、ロック機能付コネクタカバーをコネクタカバー部材１０とロック部材２０とに分割したが、両者を一体化してもよい。
この場合には、ロック機能付コネクタカバーは、たとえば、図４に示すように上側部材３０と下側部材４０とを具備する。
ここで、上側部材３０は、両側面の内面に係合穴３１ａが形成された、かつ、図１（ａ）に示した上側カバー部１１と同様の形状の上側本体３１と、上側本体３１の末端部の上面の中央部に取り付けられた、かつ、図１（ｃ）に示したケーブル押え部２３と同様の構成のケーブル押え部３２とを備える。
下側部材４０は、両側面の外面に上側部材３０の係合穴３１ａと係合する係合爪４１ａが形成された、かつ、図１（ａ）に示した下側カバー部１２と同様の形状の下側本体４１を備える。
【００３５】
さらに、１個のＲＪ４５型コネクタ１について使用するロック機能付コネクタカバーについて説明したが、複数ポートのハブのように複数個のＲＪ４５型コネクタ１が一列に並べて取り付けられるような場合には、図１（ａ）に示したコネクタカバー部材１０を複数個のＲＪ４５型コネクタ１をコネクタ収納空間に収納することができる寸法にするとともに、ロック部材２０をＲＪ４５型コネクタ１と同数だけ用意して、複数個のＲＪ４５型コネクタ１にそれぞれ接続された複数本のＬＡＮケーブル２にロック部材２０を１個ずつ固定するようにすればよい。
【００３６】
本発明のロック機能付コネクタカバーは、ＲＪ４５型コネクタ１の他に、ロック機構として２本のネジを備えたＲＳ２３２Ｃのようなシリアルポートや、ロック機構として回転外周部を備えた高周波同軸ケーブル用コネクタにも適用することができる。
たとえば、ＲＳ２３２Ｃの場合には、図１（ａ）に示したコネクタカバー部材１０と同様の構成のコネクタカバー部材でＲＳ２３２Ｃ全体をカバーして、ＲＳ２３２Ｃを機器に取り付けるための２本のネジ（ロック機構）を回すことができないようにすればよい。
また、高周波同軸ケーブル用コネクタの場合には、図１（ａ）に示したコネクタカバー部材１０と同様の構成のコネクタカバー部材で高周波同軸ケーブル用コネクタ全体をカバーして、先端部に取り付けられた回転させて高周波同軸ケーブル用コネクタを機器に取り付けるための回転外周部（ロック機構）を回すことができないようにすればよい。
【符号の説明】
【００３７】
１  ＲＪ４５型コネクタ
２  ＬＡＮケーブル
３  ハブ
３ａ  差込口
１０  コネクタカバー部材
１１  上側カバー部
１１ａ，２１ａ，３１ａ  係合穴
１２  下側カバー部
１２ａ，２２ａ，４１ａ  係合爪
２０  ロック部材
２１  上側ロック部
２２  下側ロック部
２３，３２  ケーブル押え部
３０  上側部材
３１  上側本体
４０  下側部材
４１  下側本体
【図１】
2012221817.tif 000003
【図２】
2012221817.tif 000004
【図３】
2012221817.tif 000005
【図４】
2012221817.tif 000006